(57)【特許請求の範囲】
【請求項１】
映像を表示する表示パネルと、
前記表示パネル上に配置されて弾性を有する第１透明層、前記第１透明層上に配置され、前記第１透明層より大きい硬度を有し、前記第１透明層と実質的に同一の屈折率を有する第２透明層、外部物体のタッチによってタッチコンデンサーを形成する透明電極層、及び電極層のエッジと電気的に接続されて基準電圧を印加する電圧印加電極を備えるタッチ基板と、
前記透明電極層を覆って保護するオーバーコーティング層と、
前記第１及び第２透明層の間に形成され、透明な導電性物質からなるシールド電極層と、を含み、
前記透明電極層は前記第１透明層と対向するように前記第２透明層上に形成されることを特徴とする表示装置。
【請求項２】
映像を表示する表示パネルと、
前記表示パネル上に配置されて弾性を有する第１透明層、前記第１透明層上に配置され、前記第１透明層より大きい硬度を有し、前記第１透明層と実質的に同一の屈折率を有する第２透明層、外部物体のタッチによってタッチコンデンサーを形成する透明電極層、及び電極層のエッジと電気的に接続されて基準電圧を印加する電圧印加電極を備えるタッチ基板と、
前記表示パネル及び前記第１透明層の間に形成され、透明な導電性物質からなるシールド電極層と、
を含み、
前記透明電極層は前記第１及び第２透明層の間に形成されることを特徴とする表示装置。
【請求項３】
前記透明電極層は前記表示パネル及び前記第１透明層の間に形成されることを特徴とする請求項１に記載の表示装置。
【請求項４】
前記透明電極層を覆って保護するオーバーコーティング層をさらに含み、
前記透明電極層は前記第１透明層と対向するように前記第２透明層上に形成されることを特徴とする請求項１に記載の表示装置。
【請求項５】
前記電圧印加電極は、
前記透明電極層の第１端部と電気的に接続された第１印加電極と、
前記第１端部の反対側である前記透明電極層の第２端部と電気的に接続された第２印加電極と、
前記第１及び第２端部と離隔された前記透明電極層の第３端部と電気的に接続された第３印加電極と、
前記第３端部の反対側である前記透明電極層の第４端部と電気的に接続された第４印加電極と、を含むことを特徴とする請求項１に記載の表示装置。
【請求項６】
前記透明電極層は実質的に長方形を有し、
前記第１、第２、第３、及び第４端部はそれぞれ前記透明電極層の４つの辺と実質的に並行に形成されることを特徴とする請求項５に記載の表示装置。
【請求項７】
前記透明電極層は実質的に長方形を有し、
前記第１、第２、第３、及び第４端部はそれぞれ前記透明電極層の４つの角に位置することを特徴とする請求項５に記載の表示装置。
【請求項８】
前記電圧印加電極へ前記基準電圧を供給するための電源供給部をさらに含み、
前記タッチ基板は前記電源供給部及び前記電圧印加電極の間を電気的に接続させるための電源配線をさらに含むことを特徴とする請求項１に記載の表示装置。
【請求項９】
偏光板を含む表示パネルと、
前記表示パネル上に配置され、弾性を有する第１透明層、前記第１透明層上に配置され、前記第１透明層より大きい硬度を有し、前記第１透明層と実質的に同一の屈折率を有する第２透明層、外部物体のタッチによりタッチコンデンサーを形成する透明電極層及び前記透明電極層と接続されて基準電圧を印加する電圧印加電極を備えるタッチ基板と、前記第１透明層の上に配置されたシールド電極層と、を含み、前記シールド電極層は前記偏光板に直接配置される表示装置。
【請求項１０】
前記表示パネルは偏光板を含み、前記第１透明層は前記偏光板に直接配置されることを特徴とする請求項９に記載の表示装置。
【請求項１１】
前記表示パネルは偏光板を含み、前記透明電極層は前記偏光板に直接配置されることを特徴とする請求項９に記載の表示装置。
【発明の詳細な説明】
【技術分野】
【０００１】
本発明は表示装置に関することで、より詳細には映像の表示品質を向上させることのできる表示装置に関する。
【背景技術】
【０００２】
表示装置は外部より圧力または光などのようなタッチ（接触）イベントに反応して内部プログラムを遂行し、映像を外部へ表示する。例えば、前記表示装置は外部より前記タッチイベントの印加を受け、前記タッチイベントのタッチ位置を判別し、前記タッチ位置に対応する前記内部プログラムを遂行する。
一般的に、前記表示装置は、光透過率の変化を利用して映像を表示する液晶表示パネル及び前記タッチイベントの印加を受けるためのタッチスクリーンを含む。
【０００３】
前記液晶表示パネルは薄膜トランジスタ及び画素電極を有する第１基板、第１基板と対向してカラーフィルター及び共通電極を有する第２基板、及び前記第１及び第２基板の間に介在された液晶層を含む。
前記タッチスクリーンは前記液晶表示パネルの一側に配置され、前記タッチイベントの印加を受ける。前記タッチスクリーンは例えば、抵抗膜方式を利用して前記タッチイベントに対するタッチの位置が判別できる。
【０００４】
しかし、前記タッチスクリーンが前記液晶表示パネルの一側に配置されることにより、前記液晶表示パネルから表示される映像の表示品質が低下され得る。例えば、外部光が前記タッチスクリーンの内部に形成された空気層によって前記タッチスクリーンで反射される場合、前記液晶表示パネルの表示品質が低下され得る。
【発明の開示】
【発明が解決しようとする課題】
【０００５】
従って、本発明において解決しようとする技術的課題はこのような従来の問題点を解決するためのもので、本発明の目的は映像の表示品質を向上させた表示装置を提供することである。
【課題を解決するための手段】
【０００６】
前述の本発明の目的を達成するための発明１による表示装置は映像を表示する表示パネル及び前記表示パネル上に配置されたタッチ基板を含む。前記タッチ基板は前記表示パネル上に配置され、弾性を有する第１透明層、前記第１透明層上に配置された第２透明層、外部物体のタッチによりタッチコンデンサーを形成する透明電極層及び前記透明電極層のエッジと電気的に接続されて基準電圧を印加する電圧印加電極を含む。
【０００７】
発明２は、本発明１の実施例において、前記透明電極層は前記第１及び第２透明層の間に形成されることができ、前記第２透明層は前記第１透明層より大きい硬度を有することができる。ここで、前記表示装置は前記表示パネル及び前記第１透明層の間に形成され、透明な導電性物質からなるシールド電極層をさらに含むことができる。
発明３は、本発明１の実施例において、前記透明電極層は前記表示パネル及び前記第１透明層の間に形成され得る。
【０００８】
発明４は、本発明１の実施例において、前記透明電極層は前記第１透明層と対向するように前記第２透明層上に形成されることができ、前記表示装置は前記透明電極層を覆って保護するオーバーコーティング層をさらに含むことができる。
発明５は、発明１〜４のいずれかにおいて、前記第２透明層は前記第１透明層より大きい硬度を有することができる。
【０００９】
発明６は、本発明４において、前記表示装置は前記第１及び第２透明層の間に形成され、透明な導電性物質からなるシールド電極層をさらに含むことができる。
発明７は、本発明２、４において、前記表示パネル及び前記第１透明層の間に形成され、透明な導電性物質からなるシールド電極層をさらに含むことができる。
発明８は、本発明１の実施例において、前記第１及び第２透明層は実質的に同一の屈折率を有することができる。
【００１０】
発明９は、本発明１の実施例において、前記電圧印加電極は前記透明電極層の第１端部と電気的に接続された第１印加電極、前記第１端部の反対側である前記透明電極層の第２端部と電気的に接続された第２印加電極、前記第１及び第２端部と離隔された前記透明電極層の第３端部と電気的に接続された第３印加電極、及び前記第３端部の反対側である前記透明電極層の第４端部と電気的に接続された第４印加電極を含むことができる。
【００１１】
発明１０は、発明９において、前記透明電極層は実質的に長方形を有することができ、前記第１、第２、第３、及び第４端部はそれぞれ前記透明電極層の４つの辺と実質的に並行に形成され得る。
発明１１は、発明９において、前記透明電極層は実質的に長方形を有することができ、前記第１、第２、第３、及び第４端部はそれぞれ前記透明電極層の４つの角に位置することができる。
【００１２】
発明１２は、本発明１の実施例において、前記表示パネルは前記電圧印加電極へ前記基準電圧を供給するための電源供給部をさらに含むことができ、前記タッチ基板は前記電源供給部及び前記電圧印加電極の間を電気的に接続させるための電源配線をさらに含むことができる。
発明１３は、前述の本発明の目的を達成するための他の実施例による表示装置は、表示パネル及びタッチ基板を含む。前記タッチ基板は、前記表示パネル上に配置され、弾性を有する第１透明層、前記第１透明層上に配置された第２透明層、外部物体のタッチによりタッチコンデンサーを形成する透明電極層及び前記透明電極層と接続されて基準電圧を印加する電圧印加電極を備える。
【００１３】
発明１４は、本発明１３の実施例において、前記表示パネルは偏光板を含み、前記第１透明層は前記偏光板に直接配置され得る。
発明１５は、本発明１３の実施例において、前記表示パネルは偏光板を含み、前記透明電極層は前記偏光板に直接配置され得る。
発明１６は、本発明１３の実施例において、前記表示パネルは偏光板を含み、
前記タッチ基板は前記第１透明層の上に配置されたシールド電極層をさらに含み、前記シールド電極層は前記偏光板に直接配置され得る。
【発明の効果】
【００１４】
本発明によると、表示装置は視野角を向上させて外部光の反射を抑制するために第１及び第２透明層を備え、静電容量方式のタッチ機能を遂行するために透明電極層及び電圧印加電極を備える。それにより、前記表示装置はタッチ機能を遂行しつつ表示品質が向上された映像が表示できる。
【発明を実施するための最良の形態】
【００１５】
以下、図面を参照しつつ本発明の表示装置の望ましい実施例をより詳しく説明する。しかし、本発明は下記の実施例に限定されず、他の形態で具現することもできる。ここで紹介される実施例は開示された内容がより完全になるように、そして当業者に本発明の技術的思想と特徴が充分に伝わるように提供される。図面において、各装置または膜（層）及び領域の厚さは本発明の明確性に基づくために誇張して図示してあり、また、各装置は本明細書で説明されていない多様な付加装置が具備でき、膜（層）が他の膜（層）または基板上に位置するものと言及される場合、他の膜（層）または基板上に直接形成されるか、或いはこれらの間に追加的な膜（層）が介在され得る。
【００１６】
＜実施例１＞
図１は、本発明の第１実施例による表示装置の一部を示す断面図である。
図１を参照すると、本実施例による表示装置は映像を表示する表示パネル１００及び前記表示パネル１００上に配置されてタッチ機能を遂行するタッチ基板２００を含む。
前記表示パネル１００は平板表示パネルであり得る。例えば、前記表示パネル１００は液晶表示パネル（ｌｉｑｕｉｄ  ｃｒｙｓｔａｌ  ｄｉｓｐｌａｙ  ｐａｎｅｌ）、プラズマ表示パネル（ｐｌａｓｍａ  ｄｉｓｐｌａｙ  ｐａｎｅｌ）、有機発光表示パネル（Ｏｒｇａｎｉｃ  Ｌｕｍｉｎｅｓｃｅｎｃｅ  ｄｉｓｐｌａｙ  ｐａｎｅｌ）などであり得る。
【００１７】
前記表示パネル１００が前記液晶表示パネルである場合、前記表示パネル１００は第１基板１１０、前記第１基板１１０と対向する第２基板１２０、前記第１基板１１０及び第２基板１２０の間に介在された液晶層１３０及び前記液晶層を密封するシールライン１４０を含むことができる。
前記第１基板１１０は第１ベース基板１１２、画素電極１１４、薄膜トランジスター（図示せず）、ゲート配線（図示せず）、及びデータ配線（図示せず）を含むことができる。
【００１８】
前記第１ベース基板１１２は透明な物質、例えば、ガラス、石英、合成樹脂などからなり得る。前記画素電極１１４は前記第１ベース基板１１２上にマトリクス形態で形成され得る。前記薄膜トランジスターは前記画素電極１１４とそれぞれ電気的に接続され得る。前記ゲート配線及び前記データ配線は互いに交差する方向に形成されて、前記薄膜トランジスターと電気的に接続される。
【００１９】
他方、前記第１ベース基板１１２の一端部上には前記ゲート配線及び前記データ配線と電気的に接続されて前記薄膜トランジスターが制御できる駆動チップ１１６が形成できる。
前記第２基板１２０は第２ベース基板１２２、遮光膜１２４、カラーフィルター１２６、及び共通電極１２８を含むことができる。
【００２０】
前記第２ベース基板１２２は前記第１基板１１０と対向するように配置され、透明な物質、例えばガラス、石英、合成樹脂などからなる。前記遮光膜１２４は前記第１基板１１０と向い合うように前記第２ベース基板１２２上に形成される。前記カラーフィルター１２６は前記画素電極と対応するように前記第２ベース基板上に形成できる。前記共通電極１２８は前記遮光膜１２４及び前記カラーフィルター１２６を覆うように前記遮光膜１２４及び前記カラーフィルター１２６上に形成できる。
【００２１】
前記液晶層１３０は前記第１基板１１０及び第２基板１２０の間に介在される。前記液晶層１３０は前記画素電極と前記共通電極の間に形成された電気場により液晶の配列が変更される。前記液晶配列が変更されると、前記液晶層１３０を透過する光の透過率が変更される。
前記シールライン１４０は前記第１基板１１０及び第２基板１２０の間に介在されて、前記第１基板１１０及び第２基板１２０を互いに結合させる。前記シールライン１４０は前記液晶層１３０の液晶が外部に流出しないように前記液晶層１３０を密封する。
【００２２】
他方、前記第２基板１２０が前記カラーフィルター１２６を含むことと説明したが、前記第１基板１１０が前記カラーフィルター１２６を含むことができる。即ち、前記カラーフィルター１２６は前記画素電極１１４と対応するように前記第１ベース基板１１２上に形成され得る。
選択的に、前記表示パネル１００は前記第１基板１１０の下部に配置された第１偏光板１５０及び前記第２基板１２０の上部に配置された第２偏光板１６０をさらに含むことができる。前記第１偏光板１５０は光を第１方向に偏光させ、前記第２偏光板は光を第２方向に偏光させる。前記第１及び第２方向は互いに直交できる。
【００２３】
本実施例において、前記表示パネル１００は、様々な液晶モードで動作できる。例えば、前記表示パネル１００はＴＮ（Ｔｗｉｓｔｅｄ  Ｎｅｍａｔｉｃ）、ＳＴＮ（Ｓｕｐｅｒ  Ｔｗｉｓｔｅｄ  Ｎｅｍａｔｉｃ）、ＶＡ（Ｖｅｒｔｉｃａｌ  ａｌｉｇｎｍｅｎｔ）、ＩＰＳ（Ｉｎ  Ｐｌａｎｅ  Ｓｗｉｔｃｈｉｎｇ）、ＦＦＳ（Ｆｒｉｎｇｅ  Ｆｉｅｌｄ  Ｓｗｉｔｃｈｉｎｇ）などの液晶モードで動作できる。
【００２４】
前記タッチ基板２００は前記表示パネル１００上に配置される。前記タッチ基板２００は前記表示パネル１００と直接接触して配置され得る。つまり、タッチ基板２００と表示パネル１００とは密着して一体に構成される。それにより、タッチ基板２００と表示パネル１００とが密着しておらず別体に構成される場合とは異なり、前記タッチ基板２００及び前記表示パネル１００の間には空気層が形成されない。
【００２５】
前記タッチ基板２００は第１透明層２１０、第２透明層２２０、透明電極層２３０、電圧印加電極２４０、周辺領域遮断部２５０、オーバーコーティング層２６０、及びシールド電極層２７０を含むことができる。
前記第１透明層２１０は前記表示パネル１００上に密着されて配置できる。即ち、前記第１透明層２１０は前記第２偏光板１６０上に密着されて配置できる。前記第１透明層２１０は前記表示パネル１００を完全にカバーできる面積を有することができる。前記第１透明層２１０の厚さは０．０１ｍｍ〜５ｍｍの範囲を有することができる。
【００２６】
前記第１透明層２１０は透明な物質からなり、弾性（ｅｌａｓｔｉｃｉｔｙ）を有することができる。前記第１透明層２１０は合成樹脂、シリコン系物質などからなり得る。例えば、前記第１透明層２１０はシリコンゴム、エポキシ、ウレタンなどを含むことができる。前記第１透明層２１０を構成する前記合成樹脂は熱硬化性樹脂または光硬化性樹脂であり得る。
【００２７】
前記第２透明層２２０は前記表示パネル１００と対向するように前記第１透明層２１０上に配置される。前記第２透明層２２０は前記第１透明層２１０と同一面積を有することができる。前記第２透明層２２０の厚さは０．０１ｍｍ〜５ｍｍの範囲を有することができる。
前記第２透明層２２０は透明な物質からなり、平らなプレートの形状を有することができる。前記第２透明層２２０は前記第１透明層２１０より大きい硬度（ｈａｒｄｎｅｓｓ）を有することができる。前記第２透明層２２０は無機物質からなり得るが、有機物質からなることもできる。前記第２透明層２２０は合成樹脂、有機、石英などからなり得る。例えば、前記第２透明層２２０はＰＣ（Ｐｏｌｙｃａｒｂｏｎａｔｅ）、アクリルＰＭＭＡ（Ｐｏｌｙｍｅｔｈｌｙ  ｍｅｔｈａｃｙｌａｔｅ）、ＰＥＴ（Ｐｏｌｙｅｔｈｙｌｅｎｅ  ｔｅｒｅｐｈｔａｌａｔｅ）、ＰＥＳ（Ｐｏｌｙｅｔｈｅｒ  ｓｕｌｆｏｎｅ）、ＰＡＲ（Ｐｏｌｙａｃｒｙｌａｔｅ）などを含むことができる。
【００２８】
弾性を有する第１透明層２１０上にある程度の硬度を有する第２透明層２２０を形成することで、第１透明層２１０及び第２透明層２２０を平らに形成し、上部に透明電極層２３０等を形成可能となる。
前記透明電極層２３０は前記第１透明層２１０と対向するように前記第２透明層２２０上に形成される。前記透明電極層２３０は透明な導電性物質からなる。例えば、前記透明電極層２３０はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）などを含むことができる。
【００２９】
前記電圧印加電極２４０は前記透明電極層２３０のエッジと電気的に接続できる。即ち、前記電圧印加電極２４０は前記透明電極層２３０のエッジ上に形成されて、前記透明電極層２３０のエッジと電気的に接続できる。他方、前記電圧印加電極２４０は図１でのように前記透明電極層２３０のエッジ上に形成されることと説明したが、これとは別に、電圧印加電極２４０は前記第２透明層２２０及び前記透明電極層２３０の間に形成されることもできる。
【００３０】
前記電圧印加電極２４０は前記透明電極層２３０と同様に透明な導電性物質からなり得るが、不透明な導電性物質からなることもできる。前記電圧印加電極２４０は前記透明電極層２３０より低い抵抗を有する物質からなり得る。前記電圧印加電極は金（Ａｕ）、銀（Ａｇ）、銅（Ｃｕ）などを含むことができる。
前記周辺領域遮断部２５０は前記第１透明層２１０及び第２透明層２２０の間に形成できる。前記周辺領域遮断部２５０は前記表示パネル１００の表示領域の外郭に形成された周辺領域と対応するように形成されて、光の移動を遮断する。それにより、前記周辺領域遮断部２５０は前記表示パネルの周辺領域が外部に表示されることを防止することができる。前記周辺領域遮断部２５０は光が吸収できる物質からなり得るが、これとは別に光を反射させることのできる物質からなることもできる。
【００３１】
本実施例において、前記周辺領域遮断部２５０は場合によって省略できる。また、前記周辺領域遮断部２５０は図１でのように、前記第１透明層２１０及び第２透明層２２０の間に形成され得るが、それ以外の位置にも形成され得る。例えば、前記周辺領域遮断部２５０は前記表示パネル１００及び前記第１透明層２１０の間に形成されることができ、前記第２透明層２２０及び前記透明電極層２３０上に形成されることもできる。
【００３２】
前記オーバーコーティング層２６０は前記電圧印加電極２４０を覆うように前記第２透明層２２０上に形成される。前記オーバーコーティング層２６０は有機物質または無機物質からなり得る。例えば、前記オーバーコーティング層２６０は反射防止コーティング層または汚染防止コーティング層であり得る。
前記オーバーコーティング層２６０上に外部物体が接触されると、前記外部物体及び前記透明導電層２３０の間でタッチコンデンサーＴＣが形成され得る。前記オーバーコーティング層は前記外部物体及び前記透明導電層２３０の間に配置されて、前記タッチコンデンサーＴＣの誘電体の役割を遂行する。
【００３３】
前記シールド電極層２７０は前記第１透明層２１０及び第２透明層２２０の間に形成され得る。この際、前記周辺領域遮断部２５０は図１のように前記シールド電極層２７０及び前記第２透明層２２０の間に形成され得るが、これとは別に、前記第１透明層２１０及び前記シールド電極層２７０の間に形成され得る。
本実施例において、前記シールド電極層２７０は図１とは別に、前記表示パネル１００及び前記第１透明層２１０の間に形成されることもできる。また、場合によって前記シールド電極層２７０は省略できる。
【００３４】
前記シールド電極層２７０は前記透明電極層と同様に透明な導電性物質からなる。例えば、前記シールド電極層２７０はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）などを含むことができる。前記シールド電極層２７０は前記表示パネル１００から発生されたノイズが前記透明電極層２３０へ移動することが抑制できる。その結果、前記表示パネルから発生されたノイズにより前記タッチ基板のタッチ機能が低下されることを防止することができる。
【００３５】
本実施例において、前記表示パネル１００上に配置された前記第１透明層２１０及び第２透明層２２０は光を拡散させて、前記表示パネル１００によって表示される映像の視野角を増加させることができる。前記第１透明層２１０が弾性を有することにより、前記表示パネル１００は外部の衝撃より保護され得る。
また、前記第１透明層２１０及び第２透明層２２０に空気層が形成されないように前記表示パネル１００上に密着して配置されることにより、外部光が前記空気層によって反射が起こることが抑制できる。
【００３６】
前記第１透明層２１０及び第２透明層２２０は実質的に互いに同一の屈折率を有することができる。前記第１透明層２１０及び第２透明層２２０が互いに同一の屈折率を有する場合、前記第１透明層２１０及び第２透明層２２０の間の界面で前記外部光が反射されることが抑制できる。
図２は図１のタッチ表示基板のうち、タッチ基板を示す平面図である。
【００３７】
図１及び図２を参照すると、前記透明電極層２３０は前記第２透明層２２０上に形成される。前記透明電極層２３０は実質的に長方形の形状を有することができる。
前記電圧印加電極２４０は前記透明電極層２３０のエッジ上に形成されて、前記透明電極層２３０のエッジと電気的に接触される。例えば、前記電圧印加電極２４０は第１印加電極２４２、第２印加電極２４４、第３印加電極２４６、及び第４印加電極２４８を含むことができる。
【００３８】
前記第１印加電極２４２は前記透明電極層２３０の第１辺と対応する前記透明電極層２３０の第１端部上に形成される。前記第１印加電極２４２は前記透明電極層２３０の第１辺と実質的に並行に延長され得る。
前記第２印加電極２４４は前記第１辺の反対側である前記透明電極層２３０の第２辺と対応する前記透明電極層２３０の第２端部上に形成される。前記第２印加電極２４４は前記透明電極層２３０の第２辺と実質的に並行に延長され得る。
【００３９】
前記第３印加電極２４６は前記第１及び第２辺を接続する前記透明電極層２３０の第３辺と対応される前記透明電極層２３０の第３端部上に形成される。前記第３印加電極２４６は前記透明電極層２３０の第３辺と実質的に並行に延長され得る。
前記第４印加電極２４８は前記第３辺の反対側である前記透明電極層２３０の第４辺と対応する前記透明電極層２３０の第４端部上に形成される。前記第４印加電極２４８は前記透明電極層２３０の第４辺と実質的に並行に延長され得る。
【００４０】
本実施例において、前記第３印加電極２４６及び前記第４印加電極２４８は、前記第１印加電極２４２及び前記第２印加電極２４４より離隔配置される。また、前記電圧印加電極２４０は前記第１印加電極２４２及び前記第２印加電極２４４のうちのいずれかの１つと、前記第３印加電極２４６及び前記第４印加電極２４８のうちのいずれかの１つのみを含むことができる。
【００４１】
前記表示装置は前記電圧印加電極２４０に基準電圧を印加するための電源供給部ＰＷをさらに含むことができる。前記基準電圧は交流電圧でもあり得るが、直流電圧でもあり得る。
前記タッチ基板２００は前記電源供給部ＰＷ及び前記電圧印加電極２４０の間を電気的に接続させる電源配線をさらに含むことができる。
【００４２】
例えば、前記電源配線は前記電源供給部ＰＷ及び前記第１印加電極２４２の間を電気的に接続させる第１配線Ｐ１、前記電源供給部ＰＷ及び前記第２印加電極２４４の間を電気的に接続させる第２配線Ｐ２、前記電源供給部ＰＷ及び前記第３印加電極２４６の間を電気的に接続させる第３配線Ｐ３、及び前記電源供給部ＰＷ及び前記第４印加電極２４８の間を電気的に接続させる第４配線Ｐ４を含むことができる。
【００４３】
前記第１配線Ｐ１、第２配線Ｐ２、第３配線Ｐ３、及び第４配線Ｐ４は前記第２透明層２２０のエッジに沿って形成されて、前記第１印加電極２４２、第２印加電極２４４、第３印加電極２４６、及び第４印加電極２４８とそれぞれ電気的に接続され得る。
他方、前記電源配線は前記電圧印加電極２４０と同様の物質からなり得る。また、前記電源配線は前記電圧印加電極２４０と同一工程で形成され得る。
【００４４】
図３は、図２のタッチ基板をＩ-Ｉ’線に沿って切断した断面図である。
図２及び図３を参照してタッチ位置を判別する方法を説明する。
まず、前記電源供給部ＰＷは前記第１配線Ｐ１、第２配線Ｐ２、第３配線Ｐ３、及び第４配線Ｐ４を通じて、前記第１印加電極２４２、第２印加電極２４４、第３印加電極２４６、及び第４印加電極２４８に前記基準電圧を印加する。この際、前記第１印加電極２４２、第２印加電極２４４、第３印加電極２４６、及び第４印加電極２４８は相互同一に前記基準電圧を有するため、前記透明電極層２３０内ではいずれの電流も流れない。
【００４５】
続いて、前記オーバーコーティング２６０上に前記外部物体、一例として指が触れると、前記外部物体及び前記透明電極層２３０の間には前記タッチコンデンサーＴＣが形成される。
前記外部物体のタッチによって前記タッチコンデンサーＴＣが形成されると、前記透明電極層２３０内においては微細な電流が流れるようになる。例えば、前記第１印加電極２４２からタッチポイントへ第１電流Ｉ１が流れ、前記第２印加電極２４４から前記タッチポイントへ第２電流Ｉ２が流れる。また、前記第３印加電極２４６から前記タッチポイントへ第３電流（図示せず）が流れ、前記第4印加電極２４８から前記タッチポイントへ第４電流（図示せず）が流れる。
【００４６】
前記第１電流Ｉ１は、前記第１印加電極２４２及び前記タッチポイントの間に形成された第１抵抗Ｒ１を通過し、前記第２電流Ｉ２は、前記第２印加電極２４４及び前記タッチポイントの間に形成された第２抵抗Ｒ２を通過する。前記第３電流は、前記第３印加電極２４６及び前記タッチポイントの間に形成された第３抵抗（図示せず）を通過し、前記第４電流は、前記第４印加電極２４８及び前記タッチポイントの間に形成された第４抵抗（図示せず）を通過する。
【００４７】
前記第１、第２、第３、及び第４電流の値は前記第１、第２、第３、及び第４抵抗の値によって決定され、前記第１、第２、第３、及び第４抵抗の値は前記タッチポイントの位置によって変更される。即ち、前記タッチポイントが決定されると、前記第１、第２、第３、及び第４抵抗の値が決定され、それによって前記第１、第２、第３、及び第４電流の値が決定され得る。
【００４８】
前記第１、第２、第３、及び第４電流の値が決定されると、前記第１、第２、第３、及び第４電流の値を測定する。前記第１、第２、第３、及び第４電流の値が測定されると、前記第１印加電極２４２及び前記タッチポイントの間の第１距離Ｌ１、前記第２印加電極２４４及び前記タッチポイントの間の第２距離Ｌ２、前記第１印加電極２４２及び前記タッチポイントの間の第３距離Ｌ３、及び前記第２印加電極２４４及び前記タッチポイントの間の第４距離Ｌ４が決定され得る。その結果、前記タッチポイントの正確な座標値は前記１、第２、第３、及び第４距離（Ｌ１、Ｌ２、Ｌ３、Ｌ４）によって判別され得る。
【００４９】
他方、前記表示装置は前記第１、第２、第３、及び第４電流を測定して、前記タッチポイントの正確な座標値が判別できる座標値判別部（図示せず）をさらに含むことができる。
本実施例において、前記第１及び第２電流（Ｉ１、Ｉ２）のうち、いずれかの１つの値のみを測定し、前記第３及び第４電流のうち、いずれかの１つの値のみを測定して、前記タッチポイントの座標値を判別することもできる。第１及び第２電流（Ｉ１、Ｉ２）のうちいずれかの１つの値を測定することで、第１辺又は第２辺からの位置を特定可能である。また、第３及び第４電流のうち、いずれかの１つの値のみを測定することで、第３辺又は第４辺からの位置を特定可能である。よって、タッチポイントの図２中横方向及び縦方向での位置を特定可能である、
図４は図１に図示されたタッチ表示基板のタッチ基板の他の実施例を示した平面図である。
【００５０】
図１及び図４を参照すると、前記電圧印加電極２４０は図２の前記透明電極層２３０の４つの辺ではなく、４つの角に対応するように形成されることもできる。
例えば、図４に図示されたように、前記第１印加電極２４２は前記透明電極層２３０の第１角と対応する前記透明電極層２３０の第１端部上に形成され得る。前記第２印加電極２４４は前記第１角の反対側である前記透明電極層２３０の第２角と対応する前記透明電極層２３０の第２端部上に形成され得る。前記第３印加電極２４６は前記第１及び第２角の間である前記透明電極２３０の第３角と対応する前記透明電極層２３０の第３端部上に形成され得る。前記第４印加電極２４８は前記第３角の反対側である前記透明電極層２３０の第４角と対応する前記透明電極層２３０の第４端部上に形成され得る。
【００５１】
図４に示すように、各角部の第１〜第４印加電極とタッチポイントとの間の第１〜第４電流を測定することで、角部とタッチポイントとの距離Ｌ１〜Ｌ４を測定し、タッチポイントの位置を特定することができる。
＜実施例２＞
図５は本発明の第２実施例による表示装置の一部を示す断面図である。図５に図示された表示装置はタッチ基板を除けば、第１実施例による表示装置と同一であるため、他の構成要素に対する説明は省略する。
【００５２】
図５を参照すると、本実施例によるタッチ基板２００は前記表示パネル１００上に配置される。前記タッチ基板２００は前記表示パネル１００の間に空気層が形成されないように前記表示パネル１００と直接接触して配置できる。
前記タッチ基板２００は第１透明層２１０、第２透明層２２０、透明電極層２３０、電圧印加電極２４０、周辺領域遮断部２５０、及びシールド電極層２７０を含むことができる。
【００５３】
前記第１透明層２１０は前記表示パネル１００上に密着して配置できる。前記第１透明層２１０は前記表示パネル１００が完全にカバーできる面積を有することができる。前記第１透明層２１０の厚さは０．０１ｍｍ〜５ｍｍの範囲を有することができる。
前記第１透明層２１０は透明な物質からなり、弾性（ｅｌａｓｔｉｃｉｔｙ）を有することができる。例えば、前記第１透明層２１０は合成樹脂、シリコン系物質などからなり得る。
【００５４】
前記第２透明層２２０は前記表示パネル１００と対向するように前記第１透明層２１０上に配置される。前記第２透明層２２０は前記第１透明層２１０と同一面積を有することができる。前記第２透明層２２０の厚さは０．０１ｍｍ〜５ｍｍの範囲を有することができる。
前記第２透明層２２０は透明な物質からなり、平らなプレート形状を有することができる。前記第２透明層２２０は前記第１透明層２１０より大きい硬度（ｈａｒｄｎｅｓｓ）を有することができる。例えば、前記第２透明層２２０は合成樹脂、有機、石英などからなり得る。
【００５５】
前記透明電極層２３０は前記第１透明層２１０及び第２透明層２２０の間に形成される。前記透明電極層２３０は透明な導電性物質からなる。例えば、前記透明電極層２３０はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）などを含むことができる。
前記電圧印加電極２４０は前記透明電極層２３０のエッジと電気的に接続される。即ち、前記電圧印加電極２４０は前記透明電極層２３０及び前記第２透明層２２０の間に形成されて、前記透明電極層２３０のエッジと電気的に接続できる。これとは別に、前記電圧印加電極２４０は前記第１透明層２２０及び前記透明電極層２３０の間に形成されて、前記透明電極層２３０のエッジと電気的に接続できる。
【００５６】
前記電圧印加電極２４０は前記透明電極層２３０と同様に透明な導電性物質からなり得るが、不透明な導電性物質からなることもできる。前記電圧印加電極２４０は前記透明電極層２３０より低い抵抗を有する物質からなり得る。
前記周辺領域遮断部２５０は前記第１透明層２１０及び前記透明電極層２３０の間に形成され得る。前記周辺領域遮断部２５０は前記表示パネル１００の表示領域の外郭に形成された周辺領域と対応するように形成されて、光の移動を遮断する。
【００５７】
本実施例において、前記周辺領域遮断部２５０は場合によって省略されることもできる。また、前記周辺領域遮断部２５０は図５とは異なり、前記表示パネル１００及び前記第１透明層２１０の間に形成されることができ、その他、別の位置に形成されることもできる。
前記シールド電極層２７０は前記表示パネル１００及び前記透明層２１０の間に形成され得る。また、場合によって前記シールド電極層２７０は省略できる。前記シールド電極層２７０は前記透明電極層と同一に透明な導電性物質からなる。例えば、前記シールド電極層２７０はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）などを含むことができる。
【００５８】
他方、本実施例においてのタッチ位置判別方法は、前記第１実施例による表示装置においてのタッチ位置判別方法と同一である。
＜実施例３＞
図６は本発明の第３実施例による表示装置の一部を示す断面図である。図６に図示された表示装置はタッチ基板を除けば、第１実施例による表示装置と同一であるため、他の構成要素に対する説明は省略する。
【００５９】
図６を参照すると、本実施例によるタッチ基板２００は前記表示パネル１００上に配置される。前記タッチ基板２００は前記表示パネル１００との間に空気層が形成されないように前記表示パネル１００と直接接触して配置され得る。
前記タッチ基板２００は第１透明層２１０、第２透明層２２０、透明電極層２３０、電圧印加電極２４０、及び周辺領域遮断部２５０を含むことができる。
【００６０】
前記第１透明層２１０は前記表示パネル１００上に密着されて配置できる。前記第１透明層２１０は前記表示パネル１００が完全にカバーできる面積を有することができる。前記第１透明層２１０の厚さは０．０１ｍｍ〜５ｍｍの範囲を有することができる。
前記第１透明層２１０は透明物質からなり、弾性（ｅｌａｓｔｉｃｉｔｙ）を有することができる。例えば、前記第１透明層２１０は合成樹脂、シリコン系物質などからなり得る。 
【００６１】
前記第２透明層２２０は前記表示パネル１００と対向するように前記第１透明層２１０上に配置される。前記第２透明層２２０は前記第１透明層２１０と同一の面積を有することができる。前記第２透明層２２０の厚さは０．０１ｍｍ〜５ｍｍの範囲を有することができる。
前記第２透明層２２０は透明な物質からなり、平らなプレートの形状を有することができる。前記第２透明層２２０は前記第１透明層２１０より大きい硬度（ｈａｒｄｎｅｓｓ）を有することができる。例えば、前記第２透明層２２０は合成樹脂、有機、石英などからなり得る。
【００６２】
前記透明電極層２３０は前記表示パネル１００及び前記第１透明層２１０の間に形成される。前記透明電極２３０は透明な導電性物質からなる。例えば、前記透明電極層２３０はＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）などを含むことができる。
前記電圧印加電極２４０は前記透明電極層２３０のエッジと電気的に接続される。即ち、前記電圧印加電極２４０は前記透明電極層２３０及び前記第１透明層２１０の間に形成されて、前記透明電極層２３０のエッジと電気的に接続できる。これとは別に、前記電圧印加電極２４０は前記表示パネル１００及び第１透明層２２０の間に形成されて、前記透明電極層２３０のエッジと電気的に接続できる。
【００６３】
前記電圧印加電極２４０は前記透明電極層２３０と同様に透明な導電性物質からなり得るが、不透明な導電性物質からなることもできる。前記電圧印加電極２４０は前記透明電極層２３０より低い抵抗を有する物質からなり得る。
前記周辺領域遮断部２５０は前記第１透明層２１０及び前記第２透明層２２０の間に形成され得る。前記周辺領域遮断部２５０は前記表示パネル１００の表示領域の外郭に形成された周辺領域と対応するように形成されて、光の移動を遮断する。
【００６４】
他方、本実施例においてのタッチ位置判別方法は、前記第１実施例による表示装置においてのタッチ位置判別方法と同一である。
本実施例において、前記周辺領域遮断部２５０は場合によって省略されることもできる。また、前記周辺領域遮断部２５０は図６とは異なり、前記第１透明層２１０と対向するように前記第２透明層２２０上に形成されることができ、その他に別の位置に形成されることもできる。
【００６５】
このように本発明の実施例よると、前記表示装置は前記表示パネル１００と密着して配置された前記第１透明層２１０及び第２透明層２２０を具備する。よって、タッチパネルと表示パネルとの間に空気層が形成されず、空気層によって外部光が反射されるのを抑制することができる。それにより、前記表示装置はより広い視野角を有する映像が表示でき、前記外部光が前記表示装置から反射されることをより抑制し光利用効率を高めることができる。
【００６６】
また、前記表示装置は前記第１透明層２１０及び第２透明層２２０に形成された前記透明電極層２３０及び前記電圧印加電極２４０を具備する。それにより、前記表示装置は静電容量方式のタッチ機能を遂行することができる。
従って、本発明による前記表示装置はタッチ機能を遂行しつつ、表示品質が向上された映像を表示することができる。
【産業上の利用可能性】
【００６７】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００６８】
【図１】本発明の第１実施例による表示装置の一部を示す断面図である。
【図２】図１のタッチ表示基板のうち、タッチ基板を示す平面図である。
【図３】図２のタッチ基板をＩ-Ｉ’線に沿って切断した断面図である。
【図４】図１に図示されたタッチ表示基板のタッチ基板の他の実施例を示す平面図である。
【図５】本発明の第２実施例による表示装置の一部を示す断面図である。
【図６】本発明の第３実施例による表示装置の一部を示す断面図である。
【符号の説明】
【００６９】
１００表示パネル
１１０第１基板
１２０       第２基板
１３０液晶層
１４０シールライン
１５０第１偏光板
１６０第２偏光板
２００       タッチ基板
２１０第１透明層
２２０第２透明層
２３０透明電極層
２４０電圧印加電極
２５０周辺領域遮断部
２６０オーバーコーティング層
２７０シールドコーティング層
ＰＷ         電源供給部
ＴＣ         タッチコンデンサー
【図１】
0005525711.tif 000002
【図２】
0005525711.tif 000003
【図３】
0005525711.tif 000004
【図４】
0005525711.tif 000005
【図５】
0005525711.tif 000006
【図６】
0005525711.tif 000007